(57)【要約】【課題】  原動機に供給される天然ガスのカロリーをイニシャルコストおよびランニングコストのいずれも低くして平準化する。【解決手段】  液化天然ガスを貯蔵する液化天然ガスタンク１に、第１の開閉弁２を介装した充填ライン３を接続し、この充填ライン３を通じてタンクローリーにより液化天然ガスを補充充填できるように構成する。液化天然ガスタンク１に、第１の供給ライン４を介して外気を加熱源とする気化器５を接続し、その気化器５に、第２の供給ライン７を介して天然ガス供給部８を接続する。第２の供給ライン７において、気化器５と天然ガス供給部８との間に、活性炭を充填した吸着塔１３を設ける。これにより、気化した天然ガスを吸着塔１３を通過させ、高沸点のプロパンやブタンを吸脱着し、原動機に供給する燃料ガスとしての天然ガスのカロリーを平準化する。【選択図】        図１
2005273753.tif 000002
【特許請求の範囲】
【請求項１】
液化天然ガスの充填ラインに接続されて液化天然ガスを貯蔵する液化天然ガスタンクと、
前記液化天然ガスタンクから供給される液化天然ガスを気化する気化器と、
前記気化器で気化された天然ガスを原動機に供給する天然ガス供給部とを備えた液化天然ガスの気化供給システムにおいて、
前記気化器と前記天然ガス供給部との間に、活性炭を充填した吸着塔を設けたことを特徴とする液化天然ガスの気化供給システム。
【請求項２】
請求項１に記載の液化天然ガスの気化供給システムにおいて、
活性炭が石炭を原料とするものであり、その平均細孔直径が２．０〜３．０ｎｍである液化天然ガスの気化供給システム。
【請求項３】
請求項１または２に記載の液化天然ガスの気化供給システムにおいて、
気化器が、外気を加熱源とするものである液化天然ガスの気化供給システム。
【請求項４】
請求項１、２、３のいずれかに記載の液化天然ガスの気化供給システムにおいて、
液化天然ガスタンクの充填ラインと、気化器と吸着塔との間の箇所とをガス配管で接続し、前記充填ラインを通じてのタンクローリーによる補充充填時に前記タンクローリーから排出されるボイルオフガスを注入可能に構成してある液化天然ガスの気化供給システム。
【請求項５】
請求項１、２、３、４のいずれかに記載の液化天然ガスの気化供給システムにおいて、
吸着塔内の活性炭を加熱する加熱手段と、
前記加熱手段による活性炭の加熱温度を設定温度に維持する温度制御手段とを備えてある液化天然ガスの気化供給システム。
【請求項６】
請求項１、２、３、４、５のいずれかに記載の液化天然ガスの気化供給システムにおいて、
吸着塔の入口と出口に開閉弁を設けてある液化天然ガスの気化供給システム。
【発明の詳細な説明】
【技術分野】
【０００１】
本発明は、液化天然ガスを貯蔵した液化天然ガスタンクから供給される液化天然ガスを気化器で気化し、気化された天然ガスを、ガスエンジンやガスタービンなどの原動機に供給するように構成した液化天然ガスの気化供給システムに関する。
【背景技術】
【０００２】
この種のシステムとしては、従来、図４の全体概略システム構成図に示すように構成されていた。
【０００３】
すなわち、液化天然ガスを貯蔵する液化天然ガスタンク０１に、第１の開閉弁０２を介装した充填ライン０３が接続され、この充填ライン０３を通じてタンクローリーＴＬにより液化天然ガスを補充充填できるように構成されている。
【０００４】
液化天然ガスタンク０１には、第１の供給ライン０４を介して気化器０５が接続されるとともに、気化器０５に、減圧弁０６を介装した第２の供給ライン０７を介して天然ガス供給部０８が接続され、気化した天然ガスを、ガスエンジンやガスタービンなどの原動機に供給できるように構成されている。
【０００５】
充填ライン０３の第１の開閉弁０２よりも下流側箇所と、第２の供給ライン０７の減圧弁０６よりも下流側箇所とが、第２の開閉弁０９と加温器０１０とを介装したガス配管０１１を介して接続されている。
【０００６】
また、液化天然ガスタンク０１の上部とガス配管０１１とがボイルオフガス配管０１２を介して接続され、タンクローリーＴＬからの補充充填時に、液化天然ガスタンク０１内で発生したボイルオフガスをガス配管０１１を通じて第２の供給ライン０７に流すとともに、タンクローリーＴＬ内に残存したボイルオフガスをも同様に第２の供給ライン０７に流すように構成されている。
【０００７】
また、液化天然ガスタンクからのボイルオフガスを効率良く貯蔵し、かつ、有効に利用するための技術として、次のような公報例が知られている。
【０００８】
この公報例によれば、液化天然ガスを貯蔵する貯蔵容器に、ボイルオフガス中の炭素数２以上の炭化水素を主として吸着除去する第１の吸着材を充填した第１の吸着容器と、ボイルオフガス中の炭素数１の炭化水素（メタン）を主として吸着除去する第２の吸着材を充填した第２の吸着容器とがボイルオフガスの流動方向に順次設けられている。第１の吸着容器には、炭素数２以上の炭化水素の脱着を容易に行うための加熱機構（ヒーター）が設けられている。
【０００９】
この貯蔵されたボイルオフガスを有効利用する際に発生する課題を解決する手段として、第１および第２の吸着容器が、貯蔵容器から気化天然ガスを取出すパイプに接続され、マスフローコントローラーにより、炭素数２以上の炭化水素および／またはメタンの流量を制御し、気化天然ガスに炭素数２以上の炭化水素および／またはメタンを所定の割合で添加し、生成する混合ガス（燃料ガス）の燃焼発熱量が所定範囲の値となるように調整するように構成されている。
【００１０】
これにより、ボイルオフガスの主成分であるメタンの吸着量の低下を防止し、かつ、得られた燃料ガスを使用する燃焼設備（例えば、天然ガス自動車のエンジンなど）の燃焼状態、排ガス成分などを安定させることができるようになっている（特許文献１参照）。
【特許文献１】特開平１１−３５１４９８号公報
【発明の開示】
【発明が解決しようとする課題】
【００１１】
しかしながら、前述従来例の場合、原動機の停止中、すなわち、液化天然ガスの気化器０５への供給が停止された状態において、液化天然ガスタンク０１の出口から気化器０５および第１の供給ライン０４では外気により液化天然ガス中の低沸点成分であるメタンが気化し、その気化したガスが液化天然ガスタンク０１に流れ、第１の供給ライン０４および気化器０５内の天然ガスの組成として、プロパン、ブタンの濃度が高くなってカロリーが非常に高くなる。
【００１２】
このような高カロリーの天然ガスを始動時に原動機に供給すると、多気筒のガスエンジンの場合であれば、気筒の一部にノッキングを生じる欠点があった。
【００１３】
また、原動機の停止状態では、液化天然ガスが流れていないため、第１の供給ライン０４および気化器０５は常温であり、原動機の始動により液化天然ガスが流れ始めるに伴い、低沸点のメタンが急激に気化し、前述の高カロリーの天然ガスが消費された後に、メタンの濃度が高い低カロリーの天然ガスが原動機に供給され、失火を生じる欠点があった。
【００１４】
このカロリーの変化は非常に急激に生じるため、調整は困難であった。
【００１５】
更に、その後、液化天然ガスが流れるに伴って、第１の供給ライン０４および気化器０５の温度が低下し、気化した燃料ガスの組成が元々の液化天然ガスの組成に等しくなっていくが、このカロリー変化に原動機側での天然ガスの供給量制御が追いつかず、気筒の一部にノッキングを生じる欠点があった。
【００１６】
また、タンクローリーＴＬで液化天然ガスタンク０１に液化天然ガスを補充充填する場合に、メタンがほぼ１００％のボイルオフガスが第２の供給ライン０７に供給されるため、前述した失火や制御遅れに起因するノッキングを生じる欠点があった。
【００１７】
上述のような天然ガスのカロリーを平準化するために、気化器０５と天然ガス供給部０８との間にミキシングタンクが設けられるが、例えば、天然ガスの流量が５００ｍ3Ｎ／ｈレベルで１００ｍ3程度の容量の大きなタンクと大きな設置スペースが必要でイニシャルコストが増大する欠点があった。
【００１８】
また、公報例の場合は、前述したその技術内容からわかるように、前記欠点を解決するものでは無い。
【００１９】
本発明は、このような事情に鑑みてなされたものであって、請求項１に係る発明は、原動機に供給される天然ガスのカロリーをイニシャルコストを低くして平準化できるようにすることを目的とし、請求項２に係る発明は、原動機に供給される天然ガスのカロリーをより良好に平準化できるようにすることを目的とし、請求項３に係る発明は、イニシャルコストを一層低減できるようにすることを目的とし、また、請求項４に係る発明は、タンクローリーによる液化天然ガスの補充充填時におけるボイルオフガスに起因する悪影響を回避できるようにすることを目的とし、また、請求項５に係る発明は、冬期などでも、より安定した状態で原動機に供給される天然ガスのカロリーを平準化できるようにすることを目的とし、更に、請求項６に係る発明は、システムを長期間停止した場合でも原動機を安定して起動できるようにすることを目的とする。
【課題を解決するための手段】
【００２０】
請求項１に係る発明は、上述のような目的を達成するために、
液化天然ガスの充填ラインに接続されて液化天然ガスを貯蔵する液化天然ガスタンクと、
前記液化天然ガスタンクから供給される液化天然ガスを気化する気化器と、
前記気化器で気化された天然ガスを原動機に供給する天然ガス供給部とを備えた液化天然ガスの気化供給システムにおいて、
前記気化器と前記天然ガス供給部との間に、活性炭を充填した吸着塔を設けて構成する。
【００２１】
（作用・効果）
請求項１に係る発明の液化天然ガスの気化供給システムの構成によれば、活性炭が高沸点の成分を多く吸着する性質があることに着目し、気化した天然ガスを吸着塔を通過させることにより、原動機の運転再開時の始動時で高沸点のプロパンやブタンの濃度が高くて高カロリーの場合に、その高沸点成分を吸着し、一方、始動直後で低沸点のメタンの濃度が高くなって低カロリーの場合に、吸着した高沸点成分を脱着し、原動機に供給する燃料ガスのカロリーを平準化することができる。
【００２２】
したがって、活性炭を充填した吸着塔を設けるだけで、ミキシングタンクや制御構成を備えたりせずに済むとともに、制御の場合におけるような制御遅れを招くことが無く、原動機に供給される天然ガスのカロリーをイニシャルコストを低くして平準化することができる。
【００２３】
請求項２に係る発明は、前述のような目的を達成するために、
請求項１に記載の液化天然ガスの気化供給システムにおいて、
活性炭が石炭を原料とするものであり、その平均細孔直径が２．０〜３．０ｎｍであるもので構成する。
【００２４】
平均細孔直径が２．０ｎｍ未満の場合、吸着した高沸点成分が脱着しにくくなり、一方、３．０ｎｍを超えると高沸点成分の吸着量が減少するからである。
【００２５】
また、平均細孔直径が２．０ｎｍ以上では、天然ガスに極微量（一般に０．１％未満）含まれる、より高沸点のペンタンやヘキサンの蓄積によるプロパンとブタンの吸着量の低下という問題が生じない。
【００２６】
（作用・効果）
請求項２に係る発明の液化天然ガスの気化供給システムの構成によれば、高沸点成分に対する吸脱着特性に優れ、原動機に供給される天然ガスのカロリーをより良好に平準化することができる。
【００２７】
請求項３に係る発明は、前述のような目的を達成するために、
請求項１または２に記載の液化天然ガスの気化供給システムにおいて、
気化器を、外気を加熱源とするもので構成する。
【００２８】
（作用・効果）
請求項３に係る発明の液化天然ガスの気化供給システムの構成によれば、温水加熱の場合のような加熱のための特別な機器を不要にできるとともにポンプ駆動などの動力費を不要にでき、イニシャルコストを一層低減できる。
【００２９】
請求項４に係る発明は、前述のような目的を達成するために、
請求項１、２、３のいずれかに記載の液化天然ガスの気化供給システムにおいて、
液化天然ガスタンクの充填ラインと、気化器と吸着塔との間の箇所とをガス配管で接続し、前記充填ラインを通じてのタンクローリーによる補充充填時に前記タンクローリーから排出されるボイルオフガスを注入可能に構成する。
【００３０】
（作用・効果）
請求項４に係る発明の液化天然ガスの気化供給システムの構成によれば、タンクローリーによる液化天然ガスタンクへの液化天然ガスの補充充填に際し、タンクローリーから排出されるボイルオフガスを吸着塔に供給する。これにより、活性炭に吸着された高沸点成分を脱着する。
【００３１】
したがって、タンクローリーからのボイルオフガスにかかわらず、原動機に供給される天然ガスのカロリーを平準化できるから、タンクローリーからのボイルオフガスに起因する悪影響を回避できる。
【００３２】
請求項５に係る発明は、前述のような目的を達成するために、
請求項１、２、３、４のいずれかに記載の液化天然ガスの気化供給システムにおいて、
吸着塔内の活性炭を加熱する加熱手段と、
前記加熱手段による活性炭の加熱温度を設定温度に維持する温度制御手段とを備えて構成する。
【００３３】
（作用・効果）
冬期に活性炭温度が低くなると、吸着された高沸点成分の脱着特性が悪化するが、請求項５に係る発明の液化天然ガスの気化供給システムの構成によれば、冬期など外気温が低い場合でも、活性炭の温度を設定温度に維持することができる。
【００３４】
したがって、冬期など外気温による活性炭温度への影響を回避して、より安定した状態で原動機に供給される天然ガスのカロリーを平準化することができる。
【００３５】
請求項６に係る発明は、前述のような目的を達成するために、
請求項１、２、３、４、５のいずれかに記載の液化天然ガスの気化供給システムにおいて、
吸着塔の入口と出口に開閉弁を設けて構成する。
【００３６】
（作用・効果）
請求項６に係る発明の液化天然ガスの気化供給システムの構成によれば、本システムを長期間停止する場合に、入口と出口の両方の開閉弁を閉止しておくことにより、吸着塔の温度が高くなって吸着していた高沸点成分が脱着してきても、脱着が継続して高沸点成分が吸着塔の上流または下流に流れ出すことを防止できる。
【００３７】
したがって、原動機を再び起動したときに高カロリーの天然ガスが原動機に多く流れることを回避でき、システムを長期間停止した場合でも原動機を安定して起動できる。
【発明の効果】
【００３８】
以上の説明から明らかなように、請求項１に係る発明の液化天然ガスの気化供給システムによれば、活性炭が高沸点の成分を多く吸着する性質があることに着目し、気化した天然ガスを吸着塔を通過させることにより、原動機の運転再開時の始動時で高沸点のプロパンやブタンの濃度が高くて高カロリーの場合に、その高沸点成分を吸着し、一方、始動直後で低沸点のメタンの濃度が高くなって低カロリーの場合に、吸着した高沸点成分を脱着し、原動機に供給する燃料ガスのカロリーを平準化することができるから、活性炭を充填した吸着塔を設けるだけで、ミキシングタンクや制御構成を備えたりせずに済むとともに、制御の場合におけるような制御遅れを招くことが無く、原動機に供給される天然ガスのカロリーをイニシャルコストおよびランニングコストのいずれも低くして平準化することができる。
【発明を実施するための最良の形態】
【００３９】
次に、本発明の実施例を図面に基づいて詳細に説明する。
【実施例１】
【００４０】
図１は、本発明に係る液化天然ガスの気化供給システムの実施例１を示す全体概略システム構成図であり、液化天然ガスを貯蔵する液化天然ガスタンク１に、第１の開閉弁２を介装した充填ライン３が接続され、この充填ライン３を通じてタンクローリーＴＬにより液化天然ガスを補充充填できるように構成されている。
【００４１】
液化天然ガスタンク１には、第１の供給ライン４を介して外気を加熱源とする気化器５が接続されるとともに、気化器５に、減圧弁６を介装した第２の供給ライン７を介して天然ガス供給部８が接続され、気化した天然ガスを、ガスエンジンやガスタービンなどの原動機に供給できるように構成されている。
【００４２】
充填ライン３の第１の開閉弁２よりも下流側箇所と、第２の供給ライン７の減圧弁６よりも下流側箇所とが、第２の開閉弁９と加温器１０とを介装したガス配管１１を介して接続されている。
【００４３】
また、液化天然ガスタンク１の上部とガス配管１１とがボイルオフガス配管１２を介して接続され、タンクローリーＴＬからの補充充填時に、液化天然ガスタンク１内で発生したボイルオフガスをガス配管１１を通じて第２の供給ライン７に流すとともに、タンクローリーＴＬ内に残存したボイルオフガスをも同様に第２の供給ライン７に流すように構成されている。
【００４４】
第２の供給ライン７において、減圧弁６と天然ガス供給部８との間に吸着塔１３が設けられている。吸着塔１３は、減圧弁６の上流側でも良い。
【００４５】
吸着塔１３内には、石炭を原料とするとともに、その平均細孔直径が２．０〜３．０ｎｍの活性炭が充填されている。活性炭としては、ヤシガラ、木材、石油ピッチなどを原料とするものも適用できる。吸着塔１３は、外気温の影響を小さくするために保温していることが好ましい。
【００４６】
吸着塔１３と天然ガス供給部８との間に、第３の開閉弁１４を介装したガス排気用配管１５が接続されている。
【００４７】
以上の構成により、気化した天然ガスを吸着塔１３を通過させることにより、原動機の運転再開時の始動時で高沸点のプロパンやブタンの濃度が高くて天然ガスが高カロリーの場合に、その高沸点成分を吸着し、一方、始動直後で低沸点のメタンの濃度が高くなって天然ガスが低カロリーの場合に、吸着した高沸点成分を脱着し、原動機に供給する燃料ガスとしての天然ガスのカロリーを平準化することができるようになっている。
【００４８】
後述する実験例および比較実験例のために、気化器５と吸着塔１３との間に、気化器５から吸着塔１３に供給される天然ガスの流量を測定する第１の流量計１６が設けられ、また、ガス配管１１に、吸着塔１３に供給されるボイルオフガスの流量を測定する第２の流量計１７が設けられている。
【００４９】
更に、吸着塔１３を通過させない比較実験例用のために、吸着塔１３を迂回するようにバイパス配管１８が接続されるとともに、そのバイパス配管１８に第４の開閉弁１９が設けられ、第２の供給ライン７のバイパス配管１８との接続箇所と吸着塔１３との間に第５の開閉弁２０が設けられている。
【００５０】
吸着塔１３と天然ガス供給部８との間に、カロリーメータでカロリーを計測するために原動機に供給される天然ガスをサンプリングするガス抽出管２１が接続されるとともに、そのガス抽出管２１に第６の開閉弁２２が設けられている。
【実施例２】
【００５１】
図２は、本発明に係る液化天然ガスの気化供給システムの実施例２を示す全体概略システム構成図であり、実施例１と異なるところは次の通りである。
【００５２】
すなわち、吸着塔１３内に、充填した活性炭を加熱する温水ヒータ３１が設けられるとともに、温水ヒータ３１の吸着塔１３への入口側箇所に、温水流量を調整する流量調整弁３２が設けられている。
【００５３】
温水ヒータ３１の吸着塔１３からの出口側箇所に、温水の温度を測定する温度計３３が付設され、その温度計３３が温度制御手段としてのコントローラ３４に接続されるとともに、コントローラ３４が流量調整弁３２に接続されている。
【００５４】
コントローラ３４では、温度計３３で計測される温水温度と設定温度（例えば、３０〜４０℃の範囲の温度）とを比較し、計測温水温度が設定温度よりも低いときには流量調整弁３２の開度を大にして温水流量を増加することにより加熱温度を高くし、一方、計測温水温度が設定温度よりも高いときには流量調整弁３２の開度を小にして温水流量を減少することにより加熱温度を低くし、活性炭の加熱温度を設定温度に維持するように構成されている。他の構成は実施例１と同じであり、同一番号を付すことによりその説明は省略する。
【実施例３】
【００５５】
図３は、本発明に係る液化天然ガスの気化供給システムの実施例３を示す全体概略システム構成図であり、実施例１と異なるところは次の通りである。
【００５６】
すなわち、吸着塔１３の出口に第７の開閉弁４１が設けられ、また、吸着塔１３に、逃がし弁４２を介装した、径の小さい配管４３が接続され、この配管４３が、ガス排気用配管１５の第３の開閉弁１４よりも下流側箇所に接続され、フレアスタックに供給されるように構成されている。逃がし弁４２の圧力は、本システムの使用時の圧力より少し高い値に設定する。
【００５７】
原動機を停止し、本システムのガスの流れが無い時に、吸着塔１３の入口の第５の開閉弁２０と出口の第７の開閉弁４１を共に閉止しておく。これにより、長期間停止して吸着塔１３の温度が仮に外気によりかなり高くなり、吸着していた高沸点成分が脱着してきても、この高沸点成分が上流または下流に流れ出ることが無い。また、吸着塔１３の内圧が高くなったときは、逃がし弁４２から放出されるので安全が保たれる。
【００５８】
その結果、原動機を再び起動したときに高カロリーのガスが原動機に多く流れることがないので原動機は安定して起動し、かつ、定格運転に移行できる。他の構成は実施例１と同じであり、同一番号を付すことによりその説明は省略する。
【００５９】
次に、実験例および比較実験例について説明する。
・実験例１
試験設備としては、実施例１の構成の下記仕様のものを用いた。
【００６０】
液化天然ガスタンク１の貯蔵容量：１キロリットル
液化天然ガスの組成  メタン：８８．９％、エタン：６．８％、プロパン：３．１％、ブタン：１．２％
低位発熱量：４０．６ＭＪ／ｍ3Ｎ
気化器５：空温式、定格能力が１５０ｍ3Ｎ／ｈ
加温器１０：空温式、定格能力が１５ｍ3Ｎ／ｈ  ボイルオフガスを外気温度近くまで加温するためのもの
圧力（絶対値）  減圧弁６までは０．４Ｍｐａ、減圧弁６以降は０．２５Ｍｐａ
配管：気化器５までの第１の供給ライン４が２０Ａ、気化器５よりも下流側の第２の供給ライン７およびボイルオフガス配管１２が８０Ａ
原動機：ガスエンジン（ＪＭＳ２０８，イエンバッハ社製）定格３３２ｋＷ、８気筒、周波数６０Ｈｚ，天然ガス消費量約８０ｍ3Ｎ／ｈ
吸着塔１３：活性炭の充填量は４５ｋｇで容量は０．１１ｍ3
内容積が約０．２ｍ3で内径０．５ｍ、高さ１．０ｍの鋼製容器を使用、
活性炭：原料が石炭で、平均細孔径２．４ｎｍ、嵩密度０．３９ｇ／ｃｍ3
吸着量データは、別途ビーカースケールの基礎実験にて上記液化天然ガスの組成の天然ガスに対して下記平衡データを取得した。
【００６１】
試験方法は、活性炭の重量増を測定した。プロパン＋ブタンの吸着量は大気圧まで減圧し、活性炭を昇温（１００℃）して窒素ガスにより脱着させたガスをガスバッグに全量とり、このガスをガスクロマトグラフ分析計により定量分析した。このときの天然ガスの圧力（絶対値）は、０．２５ＭＰａで、天然ガスの平衡吸着量は１７重量％であり、その内、プロパン＋ブタンの平衡吸着量は１３重量％であった。
【００６２】
試験は、次のステップによって行った。
【００６３】
ステップ１
ガスエンジンを停止状態とし、気化器５で気化させた天然ガスを吸着塔１３に圧力（絶対値）０．２５ＭＰａ、流量４０ｍ3Ｎ／ｈで、午前９時から午後５時まで８時間流し、同圧力でほぼ平衡になるまで天然ガスを吸着させた。このとき、吸着塔１３のバイパス配管１８の第４の開閉弁１９は閉止しておいた。
【００６４】
この間吸着塔１３を出た天然ガスは、第３の開閉弁１４を開いて排ガス配管１５を通じて排出し、フレアスタックにより燃焼処理した。平衡までの吸着の判断方法として、第６の開閉弁２２を開き、ガス抽出管２１を通じて抽出したガスのサンプリングによりカロリーを測定し、その値が液化天然ガスの組成に一致していることを確認した。
【００６５】
吸着塔１３の入口の天然ガスの温度は平均１０℃であった。
【００６６】
ステップ２
午後５時から翌日の午前９時までの１６時間放置した後に、スエンジンを始動させた。このとき、吸着塔１３のバイパス配管１８の第４の開閉弁１９は閉止しておいた。天然ガスのカロリーは、ガス抽出管２１を通じて抽出したガスに対してカロリーメータにより測定した。
【００６７】
吸着塔１３の入口の天然ガスの温度は、ステップ１と同じく平均１０℃であった。
〈結果〉始動後のカロリー変動：低位発熱量に対して
最小値３８．９ＭＪ／ｍ3Ｎ：液化天然ガスの低位発熱量に対して−４．２％
最大値４１．６ＭＪ／ｍ3Ｎ：液化天然ガスの低位発熱量に対して＋２．５％
変動幅＝４．２％＋２．５％＝６．７％
となり、変動幅は小さく抑えることができた。
【００６８】
カロリーは先ず急激に最大値を示し、その後に急激に最小値を示した後、上昇して液化天然ガスの組成のカロリー（低位発熱量４０．６ＭＪ／ｍ3Ｎ）に漸次近づき、その後はほぼ一定値を示した。
【００６９】
本条件では、ガスエンジンの起動および定格までの出力増加を安定して行うことができた。
・実験例２
活性炭として、下記の仕様のものを使用する以外は、実験例１と同じ条件で試験を実施した。
【００７０】
活性炭：原料が石炭で、平均細孔径１．９ｎｍ、嵩密度０．４２ｇ／ｃｍ3
〈結果〉始動後のカロリー変動：低位発熱量に対して
最小値３８．４ＭＪ／ｍ3Ｎ：液化天然ガスの低位発熱量に対して−５．４％
最大値４１．９ＭＪ／ｍ3Ｎ：液化天然ガスの低位発熱量に対して＋３．１％
変動幅＝５．４％＋３．１％＝８．５％
となり、変動幅は小さく抑えることができた。
【００７１】
カロリーは先ず急激に最大値を示し、その後に急激に最小値を示した後、上昇して液化天然ガスの組成のカロリー（低位発熱量４０．６ＭＪ／ｍ3Ｎ）に漸次近づき、その後はほぼ一定値を示した。
【００７２】
本条件では、ガスエンジンの起動および定格までの出力増加を安定して行うことができた。
・実験例３
活性炭として、下記の仕様のものを使用する以外は、実験例１と同じ条件で試験を実施した。
【００７３】
活性炭：原料が石炭で、平均細孔径３．１ｎｍ、嵩密度０．２８ｇ／ｃｍ3
〈結果〉始動後のカロリー変動：低位発熱量に対して
最小値３８．７ＭＪ／ｍ3Ｎ：液化天然ガスの低位発熱量に対して−４．８％
最大値４１．８ＭＪ／ｍ3Ｎ：液化天然ガスの低位発熱量に対して＋２．９％
変動幅＝４．８％＋２．９％＝７．７％
となり、変動幅は小さく抑えることができた。
【００７４】
カロリーは先ず急激に最大値を示し、その後に急激に最小値を示した後、上昇して液化天然ガスの組成のカロリー（低位発熱量４０．６ＭＪ／ｍ3Ｎ）に漸次近づき、その後はほぼ一定値を示した。
【００７５】
本条件では、ガスエンジンの起動および定格までの出力増加を安定して行うことができた。
・実験例４
試験装置として実施例２の液化天然ガスの気化供給システムを用い、温水ヒータ３１により活性炭を３５℃に昇温維持した。それ以外は、実験例１と同じ条件で試験を実施した。
〈結果〉始動後のカロリー変動：低位発熱量に対して
最小値３９．３ＭＪ／ｍ3Ｎ：液化天然ガスの低位発熱量に対して−３．２％
最大値４１．６ＭＪ／ｍ3Ｎ：液化天然ガスの低位発熱量に対して＋２．５％
変動幅＝３．２％＋２．５％＝５．７％
となり、変動幅は小さく抑えることができた。
【００７６】
最小値が大きくなったのは、吸着していた高カロリーのプロパンとブタンの脱着速度が、活性炭の温度の上昇により増大したものと考えられる。
【００７７】
本条件では、ガスエンジンの起動および定格までの出力増加を安定して行うことができた。
・比較実験例１
実験例１のステップ２において、吸着塔１３のバイパス配管１８の第４の開閉弁１９を開き、第５の開閉弁２０を閉止した以外は、実験例１と同じ条件でガスエンジンを始動させた。
【００７８】
吸着塔１３の入口での天然ガスの温度はステップ１と同じく、平均１０℃であった。
〈結果〉始動後のカロリー変動：低位発熱量に対して
最小値３６．４ＭＪ／ｍ3Ｎ：液化天然ガスの低位発熱量に対して−１０．３％
最大値５８．６ＭＪ／ｍ3Ｎ：液化天然ガスの低位発熱量に対して＋４４．３％
変動幅＝１０．３％＋４４．３％＝５４．６％
となり、変動幅は実験例１の８．１倍であり、非常に大きいものになった。
【００７９】
ガスエンジンの起動直後にカロリーが上記最大値を示し、複数の気筒でノッキングが発生し、定格運転への移行ができなかった。また、起動後数分後に急激にカロリーが低下し、上記最小値の近傍で失火し、ガスエンジンが停止した。
・比較実験例２
実験例１の試験終了後、吸着塔１３のバイパス配管１８の第４の開閉弁１９を開き、第５の開閉弁２０を閉止した。ガスエンジンを１５分間停止した後、再度始動させた。
〈結果〉始動後のカロリー変動：低位発熱量に対して
最小値３７．６ＭＪ／ｍ3Ｎ：液化天然ガスの低位発熱量に対して−７．５％
最大値５１．８ＭＪ／ｍ3Ｎ：液化天然ガスの低位発熱量に対して＋２７．５％
変動幅＝７．５％＋２７．５％＝３５．０％
となり、変動幅は実験例１の５．２倍であり、非常に大きいものになった。
【００８０】
ガスエンジンの起動直後にカロリーが上記最大値を示し、数分後に急激にカロリーが低下し、上記最小値を経過した後、カロリーの上昇過程で、ガスエンジンは、複数の気筒でノッキングを発生して停止した。
・実験例５
実験例１の試験のステップ２での定格運転を継続し、運転中に液化天然ガスタンク１の液化天然ガスの残量がほぼ０になった状態でタンクローリーＴＬから液化天然ガスタンク１内に液化天然ガスを補充充填した。補充充填中は、ガス配管１１の第２の開閉弁９は閉止状態とした。
【００８１】
この補充充填中、液化天然ガスタンク１から多量のボイルオフガスが発生し、加温器１０および吸着塔１３（吸着塔１３のバイパス配管１８の第４の開閉弁１９は閉止、第５の開閉弁２０は開放）を通ってガスエンジンに供給された。このボイルオフガスが発生している時間の大部分は、第１の流量計１６の指示値がほぼ０になっていた。
【００８２】
補充充填中に液化天然ガスタンク１から多量のボイルオフガスが発生した理由は、液化天然ガスの残量が小さく、液化天然ガスタンク１内の温度が上昇していたためである。
〈結果〉この間、ガスエンジンは問題なく定格運転を継続することができた。
【００８３】
また、ガス配管１１の第２の開閉弁９を開き、タンクローリーＴＬ中のボイルオフガスを１２ｍ3／ｈ（第２の流量計１７で計測）で２０分間放出した。このボイルオフガスを加温器１０および吸着塔１３（吸着塔１３のバイパス配管１８の第４の開閉弁１９は閉止、第５の開閉弁２０は開放）を通ってガスエンジンに注入した。
〈結果〉この間、ガスエンジンは問題なく定格運転を継続することができた。
・比較実験例３
実験例５の試験に対して、吸着塔１３のバイパス配管１８の第４の開閉弁１９を開き、第５の開閉弁２０を閉止した以外は、同じ条件で試験をした。
〈結果〉液化天然ガスを補充充填している間にボイルオフガスをガスエンジンに注入したとき、および、タンクローリーＴＬからボイルオフガスをガスエンジンに注入したとき、いずれにおいてもガスエンジンの幾つかの気筒が失火を起こし、出力が低下した。
【００８４】
上記実施例２では、活性炭を加熱するのに温水ヒータ３１を用いているが、例えば、蒸気ヒータや電気ヒータなど各種の構成変形が可能であり、それらをして加熱手段と総称する。
【図面の簡単な説明】
【００８５】
【図１】本発明に係る液化天然ガスの気化供給システムの実施例１を示す全体概略システム構成図である。
【図２】本発明に係る液化天然ガスの気化供給システムの実施例２を示す全体概略システム構成図である。
【図３】本発明に係る液化天然ガスの気化供給システムの実施例３を示す全体概略システム構成図である。
【図４】従来例の液化天然ガスの気化供給システムを示す全体概略システム構成図である。
【符号の説明】
【００８６】
１…液化天然ガスタンク
３…充填ライン
５…気化器
８…天然ガス供給部
１１…ガス配管
１３…吸着塔
３１…温水ヒータ（加熱手段）
【図１】
2005273753.tif 000003
【図２】
2005273753.tif 000004
【図３】
2005273753.tif 000005
【図４】
2005273753.tif 000006